(57)【要約】【課題】録画機器（レコーダ）等の他の電子機器に録画された映像コンテンツをテレビ等の電子機器で視聴する場合の利便性を向上させることが課題になっていた。【解決手段】実施形態の電子機器は、接続された他の電子機器に、前記他の電子機器で録画された映像コンテンツを所定期間、一時的にムーヴするように設定する一時的ムーヴ設定部を備える。また、前記一時的なムーヴが設定された場合に、前記他の電子機器から所定の情報が関連付けられて送信された、前記他の電子機器で録画された映像コンテンツを受信し、記録部に記録する記録部を備える。  また、前記記録部に記録され、前記設定された所定期間の一時的ムーヴ期間に到達した映像コンテンツを、前記他の電子機器に向けて出力する出力部を備える。【選択図】  図１
2014204340.tif 000002
【特許請求の範囲】
【請求項１】
接続された他の電子機器に、前記他の電子機器で録画された映像コンテンツを所定期間、一時的にムーヴするように設定する一時的ムーヴ設定部と、
前記一時的なムーヴが設定された場合に、前記他の電子機器から所定の情報が関連付けられて送信された、前記他の電子機器で録画された映像コンテンツを受信し、記録部に記録する記録部と、
前記記録部に記録され、前記設定された所定期間の一時的ムーヴ期間に到達した映像コンテンツを、前記他の電子機器に向けて出力する出力部と、を備える電子機器。
【請求項２】
前記所定の情報は、前記録画を行った前記他の電子機器の識別情報、および、前記録画が行われた時刻情報を含む請求項１に記載の電子機器。
【請求項３】
前記他の電子機器との接続は、ＤＬＮＡ接続で行われる請求項１または請求項２に記載の電子機器。
【請求項４】
前記記録部に記録された映像コンテンツが、前記一時的ムーヴ期間に到達したかをチェックする到達チェック部を備える請求項１乃至請求項３のいずれかに記載の電子機器。
【請求項５】
前記他の電子機器からの映像コンテンツの送信は、予め決められた時間経過後に行われる請求項１乃至請求項４のいずれかに記載の電子機器。
【請求項６】
前記一時的なムーヴの期間が設定されている場合に、前記他の電子機器からの映像コンテンツの送信が行われる請求項１乃至請求項５のいずれかに記載の電子機器。
【請求項７】
前記他の電子機器で録画された映像コンテンツの一時的なムーヴを設定可能なムーヴ設定部を備える請求項１乃至請求項６のいずれかに記載の電子機器。
【請求項８】
前記一時的なムーヴの期間を設定可能なムーヴ期間設定部を備える請求項１乃至請求項７のいずれかに記載の電子機器。
【請求項９】
前記一時的なムーヴで前記他の電子機器から映像コンテンツが送信される送信タイミングを設定可能なタイミング設定部を備える請求項１乃至請求項８のいずれかに記載の電子機器。
【請求項１０】
接続された他の電子機器に、前記他の電子機器で録画された映像コンテンツを所定期間、一時的にムーヴするように設定するステップと、
前記一時的なムーヴが設定された場合に、前記他の電子機器から所定の情報が関連付けられて送信された、前記他の電子機器で録画された映像コンテンツを受信し、記録部に記録するステップと、
前記記録部に記録され、前記設定された所定期間の一時的ムーヴ期間に到達した映像コンテンツを、前記他の電子機器に向けて出力するステップと、を備え、電子機器を制御する電子機器の制御方法。
【請求項１１】
接続された他の電子機器に、前記他の電子機器で録画された映像コンテンツを所定期間、一時的にムーヴするように設定するステップと、
前記一時的なムーヴが設定された場合に、前記他の電子機器から所定の情報が関連付けられて送信された、前記他の電子機器で録画された映像コンテンツを受信し、記録部に記録するステップと、
前記記録部に記録され、前記設定された所定期間の一時的ムーヴ期間に到達した映像コンテンツを、前記他の電子機器に向けて出力するステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、放送を受信し、映像を記録することが可能な録画機器（レコーダ）等の電子機器が普及している。
【０００３】
また、近年、映像を記録することが可能な記録部と接続された、あるいは、この記録部を内蔵したテレビ等の電子機器が普及している。
【０００４】
そして、これらのテレビ等の電子機器と録画機器（レコーダ）等の他の電子機器は、例えば、ＤＬＮＡ（Ｄｉｇｉｔａｌ  Ｌｉｖｉｎｇ  Ｎｅｔｗｏｒｋ  Ａｌｌｉａｎｃｅ）機能等で接続されることにより、録画機器（レコーダ）等の他の電子機器で録画された映像コンテンツをテレビ等の電子機器で視聴することが可能になっている。
【０００５】
しかし、例えば、録画機器（レコーダ）等の他の電子機器に録画された映像コンテンツをテレビ等の電子機器で視聴する場合は、ユーザは、テレビと録画機器（レコーダ）の両方を操作する必要があり、煩雑であることが問題になっていた。
【０００６】
また、一般に、録画機器（レコーダ）は、テレビに比べ、起動に時間を要することから、録画機器（レコーダ）に録画された映像コンテンツをテレビで視聴することは、ユーザにとって不便であることが問題になっていた。
【０００７】
また、録画機器（レコーダ）に録画した映像コンテンツを、例えば、全て、テレビの記録部に移動すると、録画機器（レコーダ）の起動時間の問題を解消することが可能であるが、テレビの記録部が一杯になり、映像コンテンツの管理が煩雑であることが問題になっていた。
【０００８】
このため、録画機器（レコーダ）等の他の電子機器に録画された映像コンテンツをテレビ等の電子機器で視聴する場合の利便性を向上させることが課題になっていた。
【先行技術文献】
【特許文献】
【０００９】
【特許文献１】特開２００６−３１４０７５号公報
【発明の概要】
【発明が解決しようとする課題】
【００１０】
録画機器（レコーダ）等の他の電子機器に録画された映像コンテンツをテレビ等の電子機器で視聴する場合の利便性を向上させることが課題になっていた。
【課題を解決するための手段】
【００１１】
実施形態の電子機器は、接続された他の電子機器に、前記他の電子機器で録画された映像コンテンツを所定期間、一時的にムーヴするように設定する一時的ムーヴ設定部を備える。
【００１２】
また、前記一時的なムーヴが設定された場合に、前記他の電子機器から所定の情報が関連付けられて送信された、前記他の電子機器で録画された映像コンテンツを受信し、記録部に記録する記録部を備える。
【００１３】
また、前記記録部に記録され、前記設定された所定期間の一時的ムーヴ期間に到達した映像コンテンツを、前記他の電子機器に向けて出力する出力部を備える。
【図面の簡単な説明】
【００１４】
【図１】実施形態に係わる電子機器が録画機器（レコーダ）等の他の電子機器に接続され、他の電子機器に録画された映像コンテンツを視聴することが可能なシステムの外観を示す図。
【図２】実施形態に係わる電子機器と録画機器（レコーダ）等の他の電子機器が接続されるシステムにおいて、一時的なムーヴにより、他の電子機器（レコーダ）から電子機器（テレビ）へ録画コンテンツが移動するフローを示す図。
【図３】実施形態に係わる電子機器と録画機器（レコーダ）等の他の電子機器が接続されるシステムにおいて、一時的なムーヴ期間の到達により、電子機器（テレビ）から他の電子機器（レコーダ）へ録画コンテンツが移動するフローを示す図。
【図４】実施形態に係わる電子機器と録画機器（レコーダ）等の他の電子機器が接続されるシステムにおいて、一時的なムーヴを行う時間設定により、電子機器（テレビ）から他の電子機器（レコーダ）へ録画コンテンツが移動するムーヴ時間の設定フローを示す図。
【図５】実施形態に係わる電子機器と録画機器（レコーダ）等の他の電子機器が接続されるシステムにおいて、ＳＩ取得時間の動作フローを示す図。
【図６】実施形態に係わる電子機器と録画機器（レコーダ）等の他の電子機器が接続されるシステムにおいて、例えば、電子機器の映像表示部に表示出力される、一時的なムーヴに係る設定が可能な設定部の一例を示す図。
【図７】実施形態に係わる電子機器と録画機器（レコーダ）等の他の電子機器が接続されるシステムの動作を説明するフローチャート。
【発明を実施するための形態】
【００１５】
以下、図面を参照し、実施の形態を説明する。
【００１６】
図１は、実施形態に係わる電子機器が録画機器（レコーダ）等の他の電子機器に接続され、他の電子機器に録画された映像コンテンツを視聴することが可能なシステムの外観を示す図である。
【００１７】
この実施形態に係わる電子機器（テレビ）１は、接続された他の電子機器（レコーダ）２に、前記他の電子機器（レコーダ）２で録画された映像コンテンツを所定期間、一時的にムーヴするように設定する一時的ムーヴ設定部を備えている。
【００１８】
また、前記一時的なムーヴが設定された場合に、前記他の電子機器（レコーダ）２から所定の情報が関連付けられて送信された、前記他の電子機器（レコーダ）２で録画された映像コンテンツを受信し、記録部に記録する記録部を備えている。
【００１９】
また、前記記録部に記録され、前記設定された所定期間の一時的ムーヴ期間に到達した映像コンテンツを、前記他の電子機器（レコーダ）２に向けて出力する出力部を備えている。
【００２０】
この実施形態においては、電子機器（テレビ）１と他の電子機器（レコーダ）２は、ＤＬＮＡに対応しており、両者は、ＤＬＮＡで接続されている。
【００２１】
ＤＬＮＡは、家電、モバイル、およびパーソナルコンピュータ産業における異メーカー間の機器の相互接続を容易にするために結成された業界団体である。
【００２２】
そして、ＤＬＮＡ対応機器同士で、ネットワーク（ＬＡＮケーブル３）経由での番組コピーやムーヴを可能にするデジタル放送番組のダビング、すなわち、「ＤＬＮＡダビング」機能を備えている。
【００２３】
ここで、「ＤＬＮＡダビング」機能に係る「コピー」と「ムーヴ」の違いを説明する。
【００２４】
「コピー」は、ダビング元からダビング先に番組を複製することである。これに対し、「ムーヴ」は、ダビング元の番組が消去される。このため、番組の移動となり、「ムーヴ」と呼ばれる。
【００２５】
この実施形態に係わる電子機器（テレビ）１は、ＰＶＲ（Ｐｅｒｓｏｎａｌ Ｖｉｄｅｏ Ｒｅｃｏｄｅｒ）機能を備えている。ＰＶＲとは、例えば、テレビ放送等の映像をハードディスク（ＨＤＤ）に記録するビデオレコーダーである。
【００２６】
そして、電子機器（テレビ）１の操作だけで録画再生が実行できる。また、この実施形態においては、電子機器（テレビ）１とは別に、他の電子機器（レコーダ）２が構成される。
【００２７】
そして、電子機器（テレビ）１と他の電子機器（レコーダ）２は、それぞれ、放送を受信し、録画を行うことが可能であり、録画コンテンツの保存場所は、電子機器（テレビ）１と他の電子機器（レコーダ）２と、複数にまたがっている。
【００２８】
そして、この実施形態においては、例えば、他の電子機器（レコーダ）２で録画された映像コンテンツは、他の電子機器（レコーダ）２が放送番組の録画を行った場合に、その映像コンテンツを電子機器（テレビ）１側のＰＶＲに、ＤＬＮＡ経由で、自動的にムーヴする。
【００２９】
また、他の電子機器（レコーダ）２から電子機器（テレビ）１に対して、どの電子機器（レコーダ）２で録画したかを識別可能な「識別情報」や、いつ番組の録画が行われたかを示す、録画が行われた時刻の「時刻情報」等の情報（メタデータ）が送信される。
【００３０】
また、この実施形態においては、他の電子機器（レコーダ）２から電子機器（テレビ）１にムーヴした映像コンテンツは、所定期間（例えば、録画した時間から１週間程度）電子機器（テレビ）１側で記録し、保管する。
【００３１】
また、この実施形態においては、上記所定期間に到達、あるいは、所定期間が経過したら、電子機器（テレビ）１から他の電子機器（レコーダ）２に戻すように、録画コンテンツをムーヴ送信する。
【００３２】
また、この実施形態においては、電子機器（テレビ）１から他の電子機器（レコーダ）２へのムーヴのタイミング、他の電子機器（レコーダ）２から電子機器（テレビ）１へのムーヴのタイミング等は、ユーザが指定、あるいは、入力できるようにしている。
【００３３】
そして、図１に示すように、電子機器（テレビ）１と他の電子機器（録画機器（レコーダ））２は、例えば、ＤＬＮＡ（Ｄｉｇｉｔａｌ  Ｌｉｖｉｎｇ  Ｎｅｔｗｏｒｋ  Ａｌｌｉａｎｃｅ）機能のＬＡＮケーブル３等で接続されている。
【００３４】
他の電子機器（録画機器（レコーダ））２は、例えば、放送を受信し、録画することが可能である。
【００３５】
また、電子機器（テレビ）１は、映像を記録することが可能な、外部記録機器（ＵＳＢ−ＨＤＤ）１９等の記録部と接続されている。あるいは、電子機器（テレビ）１は、この外部記録機器（ＵＳＢ−ＨＤＤ）１９等の記録部の機能を内蔵するようにしても良い。
【００３６】
そして、この実施形態においては、上記のように接続されることにより、他の電子機器（録画機器（レコーダ））２で録画された映像コンテンツを、電子機器（テレビ）１で視聴することが可能である。
【００３７】
なお、ここでは、電子機器１の一例として、テレビを用いて説明を行ったが、この実施形態においては、テレビに限られることはなく、パーソナルコンピュータ（ＰＣ）やタブレット、スマートフォン等、他の電子機器へも適用可能である。
【００３８】
図２は、実施形態に係わる電子機器と録画機器（レコーダ）等の他の電子機器が接続されるシステムにおいて、一時的なムーヴにより、他の電子機器（レコーダ）から電子機器（テレビ）へ録画コンテンツが移動するフローを示す図である。
【００３９】
ステップ２０１は、他の電子機器（レコーダ）２において、放送番組の録画が行われたか、すなわち、「録画確認」が行われるステップである。続いて、ステップ２０２へ進む。
【００４０】
ステップ２０２は、放送番組の録画が完了したか、すなわち、「録画完了」が検出されるステップである。「録画完了」が検出される場合は、ステップ２０３へ進む。「録画完了」が検出されない場合（「録画完了していない」）は、ステップ２０１へ進み、上記処理を繰り返す。
【００４１】
ステップ２０３は、録画コンテンツとメタデータ（他の電子機器（レコーダ）２の録画機器ＩＤや放送番組の録画日時等）を、電子機器（テレビ）１にＤＬＮＡ送信するステップである。続いて、ステップ２０４へ進む。
【００４２】
ステップ２０４は、録画コンテンツとメタデータを他の電子機器（レコーダ）２から電子機器（テレビ）１に送信し、電子機器（テレビ）１が受信するステップである。続いて、ステップ２０５へ進む。
【００４３】
ステップ２０５は、電子機器（テレビ）１が、受信した録画コンテンツとメタデータを記録部（ＰＶＲ）１９に記録するステップである。
【００４４】
図３は、実施形態に係わる電子機器と録画機器（レコーダ）等の他の電子機器が接続されるシステムにおいて、一時的なムーヴ期間の到達により、電子機器（テレビ）から他の電子機器（レコーダ）へ録画コンテンツが移動するフローを示す図である。
【００４５】
ステップ３０１は、電子機器（テレビ）１において、コンテンツの録画日時（時刻）が確認されるステップである。続いて、ステップ３０２へ進む。
【００４６】
ステップ３０２は、予め設定された「一時的ムーヴ」の期間である、例えば、［一週間経過した］かが検出されるステップである。予め設定された「一時的ムーヴ」の期間が検出される場合は、ステップ３０３へ進む（［一週間経過した］）。予め設定された「一時的ムーヴ」の期間が検出されない場合は、ステップ３０１へ進み、上記処理を繰り返す（［一週間経過していない］）。
【００４７】
ステップ３０３は、一時的ムーヴが設定されている録画コンテンツを、そのメタデータに記載されている他の電子機器（レコーダ）２（録画機器（ＩＤ））に、ＤＬＮＡで移動するステップである。続いて、ステップ３０４へ進む。
【００４８】
ステップ３０４は、電子機器（テレビ）１から他の電子機器（レコーダ）２に、一時的ムーヴが設定されている録画コンテンツを送信し、他の電子機器（レコーダ）２が受信するステップである。続いて、ステップ３０５へ進む。
【００４９】
ステップ３０５は、他の電子機器（レコーダ）２の記録部（ＰＶＲ）に、受信した録画コンテンツを記録し、保存するステップである。
【００５０】
ここでは、上記ＳＩとは、Ｓｅｒｖｉｃｅ  Ｉｎｆｏｒｍａｔｉｏｎの略である。
【００５１】
現在、多くのデジタル放送規格では、ＭＰＥＧ−２ ＴＳを採用するＰＳＩを拡張し、番組情報などを含めたＳＩ（Ｓｅｒｖｉｃｅ Ｉｎｆｏｒｍａｔｉｏｎ）が規定されている。
【００５２】
また、ＳＩは、ＰＳＩ（Ｐｒｏｇｒａｍ Ｓｐｅｃｉｆｉｃ Ｉｎｆｏｒｍａｔｉｏｎ）の一部であると見なして、ＰＳＩ/ＳＩ情報としてまとめて扱う場合が多い。また、ＳＩにはＥＰＧ（Ｅｌｅｃｔｒｏｎｉｃ Ｐｒｏｇｒａｍ Ｇｕｉｄｅ）の多くの情報が含まれるので、ＳＩ/ＥＰＧとまとめて扱われることもある。
【００５３】
また、ＡＲＩＢがＡＲＩＢ ＳＴＤ−Ｂ１０で規定するＳＩには、例えば、ＮＩＴ（Ｎｅｔｗｏｒｋ Ｉｎｆｏｒｍａｔｉｏｎ Ｔａｂｌｅ）、ＢＩＴ（Ｂｒｏａｄｃａｓｔｅｒ Ｉｎｆｏｒｍａｔｉｏｎ Ｔａｂｌｅ）、ＳＤＴ（Ｓｅｒｖｉｃｅ Ｄｅｓｃｒｉｐｔｉｏｎ Ｔａｂｌｅ）、ＥＩＴ（Ｅｖｅｎｔ Ｉｎｆｏｒｍａｔｉｏｎ Ｔａｂｌｅ）、ＴＯＴ（Ｔｉｍｅ Ｏｆｆｓｅｔ Ｔａｂｌｅ）等がある。
【００５４】
ＮＩＴは、チャンネル番号や変調方式、ガードインターバルなど、送信するネットワークに関する情報が含まれる。
【００５５】
ＢＩＴは、放送局識別情報（ＢＳＤ）や系列情報（地上Ｄ）、各ＳＩテーブルの再送周期、ＳＩの掲載期間、ロゴ情報の伝送方法など放送局のＳＩ送信情報が含まれる。ＳＤＴは、チャンネルの名称が含まれる。また各チャンネル（サービス）で送出されるＥＩＴの種類、デジタルコピー制御情報も含まれる。
【００５６】
ＥＩＴは、番組の名称や放送日時、放送内容など番組に関連する情報が含まれる。ＥＰＧは、主に、この情報を用いて作成される。ＥＩＴは、その示す内容により自局の現在及び次の番組、他局の現在及び次の番組、自局のそれ以外を含む番組、他局のそれら以外を含む番組の4種類に大別される。
【００５７】
ＴＯＴは、現在の日付、時刻、およびサマータイムの情報が含まれる。
【００５８】
図４は、実施形態に係わる電子機器と録画機器（レコーダ）等の他の電子機器が接続されるシステムにおいて、一時的なムーヴを行う時間設定により、電子機器（テレビ）から他の電子機器（レコーダ）へ録画コンテンツが移動するムーヴ時間の設定フローを示す図である。
【００５９】
ステップ４０１は、電子機器（テレビ）１において、録画コンテンツのムーヴ時間、すなわち、ムーヴを行うタイミングが設定されるステップである。続いて、ステップ４０２へ進む。
【００６０】
ステップ４０２は、設定された録画コンテンツのムーヴ時間を、例えば、電子機器（テレビ）１内のメモリ等に保存するステップである。続いて、ステップ４０３、および、ステップ４０４へ進む。
【００６１】
ステップ４０３は、設定された録画コンテンツのムーヴ時間を、例えば、ＳＩ取得の時間と合わせるステップである。
【００６２】
ステップ４０４は、電子機器（テレビ）１から他の電子機器（レコーダ）２に、例えば、ムーヴ時間の範囲の情報（例えば、２３：００−２：００）等が送信され、他の電子機器（レコーダ）２で受信されるステップである。続いて、ステップ４０５へ進む。
【００６３】
ステップ４０５は、他の電子機器（レコーダ）２で受信されたムーヴ時間を、例えば、他の電子機器（レコーダ）２内のメモリ等に保存するステップである。続いて、ステップ４０６へ進む。
【００６４】
ステップ４０６は、受信された録画コンテンツのムーヴ時間を、例えば、ＳＩ取得の時間と合わせるステップである。
【００６５】
図５は、実施形態に係わる電子機器と録画機器（レコーダ）等の他の電子機器が接続されるシステムにおいて、ＳＩ取得時間の動作フローを示す図である。
【００６６】
ステップ５０１は、電子機器（テレビ）１において、電子機器（テレビ）１と他の電子機器（レコーダ）２が、相互に、ＤＬＮＡリンクが可能であるかを確認するステップである。続いて、ステップ５０２へ進む。
【００６７】
ステップ５０２は、電子機器（テレビ）１と他の電子機器（レコーダ）２のＤＬＮＡリンクが確認できたかを検出するステップである。
【００６８】
電子機器（テレビ）１と他の電子機器（レコーダ）２のＤＬＮＡリンクが確認できたと検出される場合は、ステップ５０３およびステップ５０４へ進む（できた）。電子機器（テレビ）１と他の電子機器（レコーダ）２のＤＬＮＡリンクが確認できたと検出されない場合は、ステップ５０５へ進む（できない）。
【００６９】
ステップ５０３は、電子機器（テレビ）１と他の電子機器（レコーダ）２間で「一時的なムーヴ」を実行するステップである。
【００７０】
ステップ５０４は、ＳＩを取得するステップである。
【００７１】
ステップ５０５は、ＳＩを取得するステップである。
【００７２】
また、ステップ６０１は、他の電子機器（レコーダ）２において、電子機器（テレビ）１と他の電子機器（レコーダ）２が、相互に、ＤＬＮＡリンクが可能であるかを確認するステップである。続いて、ステップ６０２へ進む。
【００７３】
ステップ６０２は、電子機器（テレビ）１と他の電子機器（レコーダ）２のＤＬＮＡリンクが確認できたかを検出するステップである。
【００７４】
電子機器（テレビ）１と他の電子機器（レコーダ）２のＤＬＮＡリンクが確認できたと検出される場合は、ステップ６０３およびステップ６０４へ進む（できた）。電子機器（テレビ）１と他の電子機器（レコーダ）２のＤＬＮＡリンクが確認できたと検出されない場合は、ステップ６０５へ進む（できない）。
【００７５】
ステップ６０３は、電子機器（テレビ）１と他の電子機器（レコーダ）２間で「一時的なムーヴ」を実行するステップである。
【００７６】
ステップ６０４は、ＳＩを取得するステップである。
【００７７】
ステップ６０５は、ＳＩを取得するステップである。
【００７８】
図６は、実施形態に係わる電子機器と録画機器（レコーダ）等の他の電子機器が接続されるシステムにおいて、例えば、電子機器の映像表示部に表示出力される、一時的なムーヴに係る設定が可能な設定部の一例を示す図である。
【００７９】
この実施形態においては、例えば、図６に示すように、電子機器（テレビ）１の表示画面８に、電子機器（テレビ）１と他の電子機器（録画機器（レコーダ））２間の、「一時的なムーヴ」に係る設定が可能な設定部が表示出力される。
【００８０】
ユーザは、例えば、リモートコントローラ等を操作し、これらの「一時的なムーヴ」に係る設定を行うことが可能である。
【００８１】
ここでは、例えば、「１．レコーダ（第２の機器）に録画された映像コンテンツの        テレビ（第１の機器）への一時的なムーヴ（テンポラリムーヴ）を設定しますか？」と表示されている。
【００８２】
ここでは、ユーザにより、「Ｙｅｓ」６１が指定されている。
【００８３】
また、例えば、「２．一時的なムーヴ（テンポラリムーヴ）を行う期間は？」と表示されている。
【００８４】
ここでは、例えば、ユーザにより、「録画終了から１週間（７日間）」６２が指定、あるいは、入力されている。
【００８５】
また、例えば、「３．一時的なムーヴ（テンポラリムーヴ）でコンテンツを送信する
タイミングは？」と表示されている。
【００８６】
ここでは、例えば、ユーザにより、「録画終了から１時間後」６３が指定、あるいは、入力されている。
【００８７】
図７は、実施形態に係わる電子機器と録画機器（レコーダ）等の他の電子機器が接続されるシステムの動作を説明するフローチャートである。
【００８８】
ステップＳ１００は、ここでの開始ステップである。続いて、ステップＳ１０１へ進む。
【００８９】
ステップＳ１０１は、例えば、ＤＬＮＡで接続された他の電子機器（レコーダ）２に、他の電子機器（レコーダ）２で録画された映像コンテンツの、電子機器（ＨＤＤ内蔵テレビ等）１への一時的なムーヴ（テンポラリムーヴ）を設定するステップである。
【００９０】
ここでの設定は、例えば、所定のムーヴ期間設定を含む。続いて、ステップＳ１０２へ進む。
【００９１】
ステップＳ１０２は、電子機器（テレビ）１への「一時的なムーヴ」は設定されたかを検出するステップである。電子機器（テレビ）１への「一時的なムーヴ」は設定されたと検出される場合は、ステップＳ１０３へ進む（Ｙｅｓ）。電子機器（テレビ）１への「一時的なムーヴ」は設定されたと検出されない場合は、ここでの処理を繰り返す（Ｎｏ）。
【００９２】
ステップＳ１０３は、「一時的なムーヴ」の期間は設定されたかを検出するステップである。「一時的なムーヴ」の期間は設定されたと検出される場合は、ステップＳ１０４へ進む（Ｙｅｓ）。「一時的なムーヴ」の期間は設定されたと検出されない場合は、ここでの処理を繰り返す（Ｎｏ）。
【００９３】
ステップＳ１０４は、他の電子機器（レコーダ）２で、放送番組等の映像コンテンツを録画するステップである。続いて、ステップＳ１０５へ進む。
【００９４】
ステップＳ１０５は、他の電子機器（レコーダ）２で、例えば、放送番組が録画されたかを検出するステップである。この放送番組は、例えば、インターネット等で放送されても良い。続いて、ステップＳ１０６へ進む。
【００９５】
ステップＳ１０６は、例えば、１時間等の、予め決めた時間、録画コンテンツの視聴（再生）等のアクセスがなく経過したかを検出するステップである。予め決めた時間、録画コンテンツの視聴等のアクセスがなく経過したと検出される場合は、ステップＳ１０７へ進む（Ｙｅｓ）。予め決めた時間、録画コンテンツの視聴等のアクセスがなく経過したと検出されない場合は、ここでの処理を繰り返す（Ｎｏ）。
【００９６】
ステップＳ１０７は、録画された映像コンテンツを、他の電子機器（レコーダ）２から電子機器（テレビ）に、所定の情報（メタデータ）を関連付けて、送信するステップである。
【００９７】
ここで、「所定の情報」とは、例えば、１．映像コンテンツを録画した機器（他の電子機器（レコーダ）２）の識別情報、２．映像コンテンツを録画した時刻（例えば、１−３時等）を含む。続いて、ステップＳ１０８へ進む。
【００９８】
ステップＳ１０８は、電子機器（テレビ）１は録画コンテンツデータを受信し、所定の情報と共に、記録部に記録するステップである。続いて、ステップＳ１０９へ進む。
【００９９】
ステップＳ１０９は、例えば、ユーザにより、電子機器（テレビ）１で録画コンテンツは消されていないかを検出するステップである。
【０１００】
この実施形態においては、ユーザは、他の電子機器（レコーダ）２から電子機器（テレビ）１に「一時的ムーヴ」された録画コンテンツを、他の電子機器（レコーダ）２に戻さずに、そのまま、削除（消）しても良い。
【０１０１】
そして、電子機器（テレビ）１で録画コンテンツは消されていないと検出される場合は、ステップＳ１１０へ進む（Ｙｅｓ）。電子機器（テレビ）１で録画コンテンツは消されていないと検出されない場合は、ステップＳ１１４へ進む（Ｎｏ）。
【０１０２】
ステップＳ１１０は、電子機器（テレビ）１は、「一時的ムーヴ」で記録された映像コンテンツの、一時的ムーヴ期間をチェックするステップである。続いて、ステップＳ１１１へ進む。
【０１０３】
ステップＳ１１１は、電子機器（テレビ）１側に、「一時的ムーヴ」で記録された映像コンテンツが所定の一時的ムーヴ期間に到達したかを検出するステップである。
【０１０４】
「一時的ムーヴ」で記録された映像コンテンツが所定の一時的ムーヴ期間に到達したと検出される場合は、ステップＳ１１２へ進む（Ｙｅｓ）。「一時的ムーヴ」で記録された映像コンテンツが所定の一時的ムーヴ期間に到達したと検出されない場合は、ここでの処理を繰り返す（Ｎｏ）。
【０１０５】
ステップＳ１１２は、電子機器（テレビ）１は、設定された一時的ムーヴ期間に到達した録画コンテンツを、所定の情報に基づいて、録画を行った電子機器（レコーダ２等）に送信するステップである。続いて、ステップＳ１１３へ進む。
【０１０６】
ステップＳ１１３は、他の電子機器（レコーダ）２は、電子機器（テレビ）１から送信された録画コンテンツを受信し、記録部に記録するステップである。続いて、ステップＳ１１４へ進む。
【０１０７】
ステップＳ１１４は、終了ステップであり、ここでの処理は終了する。
【０１０８】
このように、この実施形態においては、電子機器（テレビ）１は、接続された他の電子機器（レコーダ）２に、前記他の電子機器（レコーダ）２で録画された映像コンテンツを所定期間、一時的にムーヴするように設定する一時的ムーヴ設定部を備えている。
【０１０９】
また、前記「一時的なムーヴ」が設定された場合に、前記他の電子機器（レコーダ）２から所定の情報が関連付けられて送信された、前記他の電子機器（レコーダ）２で録画された映像コンテンツを受信し、記録部（１９）に記録する記録部を備えている。
【０１１０】
また、前記記録部（１９）に記録され、前記設定された所定期間の一時的ムーヴ期間に到達した映像コンテンツを、前記他の電子機器（レコーダ）２に向けて出力する出力部を備えている。
【０１１１】
また、前記「所定の情報」は、前記録画を行った前記他の電子機器（レコーダ）２の識別情報、および、前記録画が行われた時刻情報を含んでいる。
【０１１２】
また、電子機器（テレビ）１と前記他の電子機器（レコーダ）２との接続は、ＤＬＮＡ接続で行われても良い。
【０１１３】
また、前記記録部（１９）に記録された映像コンテンツが、前記「一時的ムーヴ期間」に到達したかをチェックする到達チェック部を備えている。
【０１１４】
また、前記他の電子機器（レコーダ）２からの映像コンテンツの送信は、予め決められた時間経過後に行われても良い。
【０１１５】
また、前記「一時的なムーヴの期間」が設定されている場合に、前記他の電子機器（レコーダ）２からの映像コンテンツの送信が行われる。
【０１１６】
また、電子機器（テレビ）１は、前記他の電子機器（レコーダ）２で録画された映像コンテンツの「一時的なムーヴ」を設定可能なムーヴ設定部を備えている。
【０１１７】
また、電子機器（テレビ）１は、前記「一時的なムーヴの期間」を設定可能なムーヴ期間設定部を備えている。
【０１１８】
また、電子機器（テレビ）１は、前記「一時的なムーヴ」で前記他の電子機器（レコーダ）２から映像コンテンツが送信される送信タイミングを設定可能なタイミング設定部を備えている。
【０１１９】
上記のように構成することによって、この実施の形態においては、録画機器（レコーダ）等の他の電子機器に録画された映像コンテンツをテレビ等の電子機器で視聴する場合の利便性を向上させることが可能になる。
【０１２０】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【０１２１】
なお、上記実施形態は、記述そのものに限定されるものではなく、実施段階では、その趣旨を逸脱しない範囲で、構成要素を種々変形して具体化することが可能である。
【０１２２】
また、上記実施形態に開示されている複数の構成要素の適宜な組み合せにより種々の発明を形成できる。
【０１２３】
例えば、実施形態に示される全構成要素から幾つかの構成要素を削除してもよい。更に、異なる実施形態に亘る構成要素を適宜組み合せてもよい。
【符号の説明】
【０１２４】
１…電子機器（テレビ）、２…他の電子機器（レコーダ）、３…ＬＡＮケーブル（ＤＬＮＡ）、４…ＵＳＢケーブル、１９…記録部（外部記録機器）。
【図１】
2014204340.tif 000003
【図２】
2014204340.tif 000004
【図３】
2014204340.tif 000005
【図４】
2014204340.tif 000006
【図５】
2014204340.tif 000007
【図６】
2014204340.tif 000008
【図７】
2014204340.tif 000009